(57)【要約】      （修正有）【課題】単独製造された生理検出モジュールでありながら、製造が便利で、組み立てが早く、結合安定及びショート予防の効果を備える生理検出モジュールを提供する。【解決手段】生理検出モジュールは、導電性伝送手段１０と、結合部材２０と、電気接続部材３０とを含む。結合部材は導電性伝送手段の一面に設けられ、結合部材を貫通する受容溝２１を設けており、さらに結合部材に係止するための係止溝２２が環設される。電気接続部材は、導電性伝送手段と結合部材の受容溝とを貫通し、導電性伝送手段と結合部材とを結び付けるために用いられる。【選択図】図２
0003189103.tif 000002
【実用新案登録請求の範囲】
【請求項１】
導電性伝送手段と、
前記導電性伝送手段の一面に設けられた結合部材であって、前記結合部材を貫通する受容溝が設けられるとともに、係止するための係止溝が環設された結合部材と、
前記導電性伝送手段と前記結合部材の受容溝とを貫通し、前記導電性伝送手段と前記結合部材とを結び付けるために用いられる電気接続部材と、を含む生理検出モジュール。
【請求項２】
前記導電性伝送手段に結合された防水層をさらに含むことを特徴とする請求項１記載の生理検出モジュール。
【請求項３】
前記電気接続部材は、留め金とリベットとで結び付けて構成され、前記留め金が前記結合部材の受容溝の一方側に設けられ、前記リベットが前記導電性伝送手段と前記結合部材の受容溝を貫通し、前記留め金とリベットをかしめ留めすることを特徴とする請求項１記載の生理検出モジュール。
【請求項４】
前記導電性伝送手段は導電性織物であることを特徴とする請求項１記載の生理検出モジュール。
【考案の詳細な説明】
【技術分野】
【０００１】
本考案は、生理検出モジュールに関わる。特に、生理的状態を検出するために用いられる生理検出モジュールに関する。
【背景技術】
【０００２】
現在、人体の心拍、脳波などの生理的信号を測定する際に、生理測定装置の複数のセンシング素子を、それぞれ人体の表面での異なる箇所に貼り付け（または装着し）、これらのセンシング素子により神経の興奮（すなわち、膜電位の変化)が、人体の器官（例えば、心臓、頭部）を通る時に周囲の組織や体表に拡散している電流を検出し、検出された検出信号が導線を介してこれらのセンシング素子からこの生理測定装置に伝送され、処理の後、データに変換して表示されることによって、被測定部の状況（例えば、心拍数、脳波の変化)を知ることができる。
【０００３】
従来の生理検出服または胸帯を用いることで、被測定部の状況を知ることができる。
しかし、これらの製造には、使用しようとする生理検出服または胸帯の布地を導電性織物に畳んでおき、穴を開け、さらにゴム部材を布地に置いて、ゴム部材上に留め金を置き、その後、リベットを導電性織物、布地、ゴム部材の順に挿通し、留め金まで当接させ、最後に当該留め金とリベットをかしめ留めする工程を経て生理検出服または胸帯が出来上がることから、すべての構成部材全体は一回の加工で製造しなければならない。
また、この生理検出服または胸帯はそれぞれ単独で製造することができないため、構造全体は、加工完了に伴い変えることはできず、製造上の便利さと商業上の自由度に大きく影響する。
【０００４】
これに鑑みて、従来、生理検出服または胸帯を着る際に、使用上及び製造上の欠点や構造設計上の好ましくない事情が絡んで、本考案者は、専念に研究や設計、組み立てをし、単独で製造可能かつ製造便利であり、組み立てが早く、結合安定及びショート予防の効果を備える生理検出モジュールを提供することを本考案の目的とする。
【考案の概要】
【考案が解決しようとする課題】
【０００５】
本考案は、導電性伝送手段と、結合部材と、電気接続部材との組合せ設計によって、すなわち、結合部材に係止溝が環設されることで、本考案の生理検出モジュールを胸帯または生理検出服に使用する時に、胸帯または生理検出服の元の２つのボタン穴に合わせて２つの生理検出モジュールの結合部材に環設された該係止溝を個々のボタン穴にそれぞれ結び付ければすみ、胸帯または生理検出服に対応する係止構造を別に設ける必要はない。
【０００６】
また、胸帯または生理検出服における該生理検出モジュールの設置位置を変えようとする場合には、配置すべき位置にボタン穴を開けることだけで本考案の生理検出モジュールを胸帯または生理検出服に対応して結び付けることができるため、この導電性伝送手段と結合部材と電気接続部材とが簡単かつ短時間で組み立てられ生理検出モジュールを構成することができる。
【０００７】
さらに、上記の胸帯または生理検出服と別に単独製造可能であり、必要に応じて早く組み立てることができるため、製造上の便利さが大幅に向上し、その実用性が増加する生理検出モジュールを提供することを主な目的とする。
【０００８】
本考案は、電気接続部材が留め金とリベットとで結び付けて構成され、留め金が結合部材の受容溝の一方側に設けられ、リベットが導電性伝送手段と結合部材の受容溝とを挿通し、そして留め金とリベットをかしめ留めすることによって、短時間で係止可能であり、さらに、外接機器に電気的に接続し生理的信号を与える効果を有し、全体の実用性が増加する生理検出モジュールを提供することを次の目的とする。
【０００９】
本考案は、使用時に、２つの生理検出モジュールのうちいずれか一つの電気接続部材のリベット側に防水層（該防水層は接着フィルムであってよく、熱圧着によるものである）をさらに設けることで、そのうちいずれか一つの生理検出モジュールの一端を完全に覆い、両生理検出モジュールがショートすることを防ぎ、使用上の安全性が増加する生理検出モジュールを提供することを他の目的とする。
【課題を解決するための手段】
【００１０】
前記目的を達成するために、本考案に係る生理検出モジュールは、導電性伝送手段と、結合部材と、電気接続部材とを含み、前記結合部材が前記導電性伝送手段の一面に設けられ、前記結合部材が貫通する受容溝を設けており、さらに前記結合部材に係止するための係止溝が環設され、前記電気接続部材が前記導電性伝送手段と前記結合部材の受容溝とを貫通し、前記導電性伝送手段と前記結合部材とを結び付けるために用いられる。
よって、単独製造された生理検出モジュールでありながら、製造が便利で、組み立てが早く、結合安定及びショート予防の効果を備え、実用性、便利さ及び安全性が増加する。
【００１１】
前記のような生理検出モジュールでは、前記導電性伝送手段に結合された防水層をさらに含む。
【００１２】
前記のような生理検出モジュールでは、前記電気接続部材は、留め金とリベットとで結び付けて構成され、前記留め金が前記結合部材の受容溝の一方側に設けられ、前記リベットが前記導電性伝送手段と前記結合部材の受容溝を貫通し、前記留め金とリベットをかしめ留めする。
【００１３】
前記のような生理検出モジュールでは、前記導電性伝送手段は導電性織物である。
【００１４】
本考案の特徴、特点および技術的内容をより深く理解するために、以下の本考案に係る詳細説明および添付図面を参照されたいが、前記添付図面は参考や説明のために供されるにすぎず、本考案を限定するものではない。
【図面の簡単な説明】
【００１５】
【図１】本考案に係る実施例の組合斜視図である。
【図２】本考案に係る実施例の分解斜視図である。
【図３】本考案に係る実施例を示す断面図である。
【図４】本考案に係る実施例の使用状態を示す断面図である。
【図５】本考案に係る実施例の第１使用状態を示す図である。
【図６】本考案に係る実施例の第２使用状態を示す図である。
【考案を実施するための形態】
【００１６】
図１〜図３に示すように、本考案に係る生理検出モジュールは、導電性伝送手段１０（導電性伝送手段１０は導電性織物である）と、導電性伝送手段１０の一面に設けられた結合部材２０を備える。
結合部材２０を貫通する受容溝２１が設けられるとともに、係止するための係止溝２２が環設された結合部材２０と、導電性伝送手段１０と結合部材２０の受容溝２１とを貫通し、導電性伝送手段１０と結合部材２０とを結び付けるために用いられる電気接続部材３０とを含む。
【００１７】
本考案に係る生理検出モジュールは、防水層４０をさらに含み、防水層４０が導電性伝送手段１０に結合され、防水効果を高める。
【００１８】
電気接続部材３０は、留め金３０１とリベット３０２とで結び付けて構成され、留め金３０１が結合部材２０の受容溝２１の一方側に設けられ、リベット３０２が導電性伝送手段１０と結合部材２０の受容溝２１とを貫通し、留め金３０１とリベット３０２をかしめ留めする。
【００１９】
生理検出モジュールが上記のような構造で構成され、図１〜図６に示すように、本考案の特徴として、導電性伝送手段１０と、結合部材２０と、電気接続部材３０との組合せ設計、すなわち、結合部材２０に係止溝２２が環設される。
【００２０】
本考案の生理検出モジュールを胸帯５０（図５参照）または生理検出服６０（図６参照）に使用する時には、胸帯５０または生理検出服６０の元の２つのボタン穴に合わせて２つの生理検出モジュールの結合部材２０に環設された該係止溝２２を個々のボタン穴（該ボタン穴の上下周縁に位置決め部材５１がそれぞれ設けられ、各位置決め部材５１が接着フィルムであってよく、かつ熱圧着によってボタン穴の周縁に貼り付けられ、該ボタン穴の力を受ける強さを高める）にそれぞれ結び付ければ済み、胸帯５０または生理検出服６０に対応する係止構造を別に設ける必要はない。
【００２１】
また、胸帯５０または生理検出服６０における該生理検出モジュールの設置位置を変えようとする場合には、配置すべき位置にボタン穴を開けることだけで本考案の生理検出モジュールを胸帯５０または生理検出服６０に対応して結び付けることができる。
【００２２】
このように、この導電性伝送手段１０と結合部材２０と電気接続部材３０とが簡単かつ短時間で組み立てられ生理検出モジュールを構成することができ、さらに、上記の胸帯５０または生理検出服６０と別に単独製造可能であり、必要に応じて早く組み立てることができるため、製造上の便利さが大幅に向上し、その実用性が増加する。
【００２３】
電気接続部材３０が留め金３０１とリベット３０２とで結び付けて構成され、留め金３０１が結合部材２０の受容溝２１の一方側に設けられ、リベット３０２が導電性伝送手段１０と結合部材２０の受容溝とを挿通し、そして留め金３０１とリベット３０２をかしめ留めすることによって、短時間で係止可能であり、さらに、外接機器に電気的に接続し生理的信号を与える効果を有し、全体の実用性が増加する。
【００２４】
さらに、本考案は、使用時に、２つの生理検出モジュールのうちいずれか一つの電気接続部材３０のリベット３０２側に防水層７０（該防水層７０は接着フィルムであってよく、熱圧着によるものである）をさらに設けることで、そのうちいずれか一つの生理検出モジュールの一端を完全に覆い、両生理検出モジュールがショートすることを防ぎ、使用上の安全性が増加する。
【００２５】
上記説明のように、本考案は、単独製造された生理検出モジュールでありながら、製造が便利で、組み立てが早く、結合安定及びショート予防の効果を備え、実用性、便利さ及び安全性が増加する。
【００２６】
以上のように、単に本考案の好ましい実施例にすぎず、本考案の実用新案登録請求の範囲を限定するものではなく、いずれの本考案の明細書および図面の内容によって実施した等価な変形が、本考案の主張範囲内に納入されるべきことは言うまでもないことである。
【符号の説明】
【００２７】
１０    導電性伝送手段
２０    結合部材
２１    受容溝
２２    係止溝
３０    電気接続部材
３０１  留め金
３０２  リベット
４０    防水層
５０    胸帯
５１    位置決め部材
６０    生理検出服
７０    防水層
【図１】
0003189103.tif 000003
【図２】
0003189103.tif 000004
【図３】
0003189103.tif 000005
【図４】
0003189103.tif 000006
【図５】
0003189103.tif 000007
【図６】
0003189103.tif 000008